(57)【要約】【課題】包装袋に絞り出し用の口金の機能を持たせ、包装袋より直接盛り付けができ、口金などを使い回しすることもなく衛生的で安価な包装袋を提供する。【解決手段】隅部にレーザー加工により形成されたハーフカット線からなる絞り出し口用切取線が設けられ、複数の隅部にそれぞれ、絞り出し口用切取線１、２は設けられている。少なくとも１つの隅部の絞り出し口用切取線がギザギザ形状あるいは波形状である。そして、スパウトとキャップからなる口栓３が設けられている。【選択図】図１
2016047724.tif 000002
【特許請求の範囲】
【請求項１】
隅部にレーザー加工により形成されたハーフカット線からなる絞り出し口用切取線が設けられていることを特徴とする包装袋。
【請求項２】
複数の隅部に前記絞り出し口用切取線が設けられていることを特徴とする請求項１に記載の包装袋。
【請求項３】
少なくとも１つの隅部の前記絞り出し口用切取線がギザギザ形状あるいは波形状であることを特徴とする請求項１または２に記載の包装袋。
【請求項４】
スパウトとキャップからなる口栓が設けられていることを特徴とする請求項１から３のいずれか１項に記載の包装袋。
【発明の詳細な説明】
【技術分野】
【０００１】
本発明は、包装袋に関するものである。特に、生クリームなどを絞り出す絞り袋や口金の機能を有する包装袋に関するものである。
【背景技術】
【０００２】
ケーキを作るときなどで、生クリームを絞り出して飾り付けるときに、絞り袋に口金をセットして、生クリームを入れ、上部をねじって押さえ、押し出して飾り付けを行う。この口金は飾り付ける形状によって、さまざまなものがあり、星口金、丸口金、サントノーレ口金、バラ口金などがある。
【０００３】
また、絞り袋にも布製や樹脂フィルム製などがあり、用途によって使い分けられているが、使用後に洗浄する必要がある。しかし、生クリームの場合、洗浄には大変な手間がかかり、もし洗い残しなどがあったら、衛生上きわめて問題である。また、使用中に口金が取れてしまうこともあった。
【０００４】
このため、予め口金のセットされた袋に、生クリームなどを充填して密封し、流通・保存する絞り出し袋が、考案されている（特許文献１）。この絞り出し袋では、口金が使い捨てになるが、口金は決して安いものではないので、コスト的に問題である。
【０００５】
公知文献を以下に示す。
【先行技術文献】
【特許文献】
【０００６】
【特許文献１】実開平６−４２６８４号公報
【発明の概要】
【発明が解決しようとする課題】
【０００７】
本発明は上記のような事情に鑑みてなされたもので、包装袋に絞り出し用の口金の機能を持たせ、包装袋より直接飾り付けができ、使い回しすることがなく衛生的で安価な包装袋を提供することを課題としている。
【課題を解決するための手段】
【０００８】
本発明は係る課題に鑑みなされたものであり、請求項１の発明は、隅部にレーザー加工により形成されたハーフカット線からなる絞り出し口用切取線が設けられていることを特徴とする包装袋である。
【０００９】
本発明の包装袋は、以上のような構成であって、レーザー加工によって形成されたハーフカット線で絞り出し口用切取線を設けたので、ハーフカット線の両側近傍が硬くなり、絞り出し口用切取線を引き裂いた破断部端部が硬く、形状が維持されやすく、口金を別途設けなくても、口金の機能を果たす。そのため、包装袋の絞り出し口用切取線を切断するだけで、包装袋より絞り出して直接飾り付けができ、絞り袋や口金を使い回しすることがないので、衛生的で安価である。
【００１０】
本発明の請求項２の発明は、複数の隅部に前記絞り出し口用切取線が設けられていることを特徴とする請求項１に記載の包装袋である。
【００１１】
本発明は、複数の隅部に絞り出し口用切取線が設けられているので、各種の形状・大き
さの絞り出し口用切取線を設けて、用途に合わせて使い分けすることができる。
【００１２】
本発明の請求項３の発明は、少なくとも１つの隅部の前記絞り出し口用切取線がギザギザ形状あるいは波形状であることを特徴とする請求項１または２に記載の包装袋である。
【００１３】
本発明は、絞り出し口用切取線がギザギザ形状あるいは波形状になっているので、断面が丸い形状でなく、星型などに加飾することができる。
【００１４】
本発明の請求項４の発明は、スパウトとキャップからなる口栓が設けられていることを特徴とする請求項１から３のいずれか１項に記載の包装袋である。
【００１５】
本発明は、スパウトから内容物を充填することができるので、充填後、熱シールすることがなく、内容物を挟み込んでシールすることがなく、破袋したり、密封不良を起こしたりすることがなく、流通上などで内容物が洩れる恐れがない。
【発明の効果】
【００１６】
本発明の包装袋は、包装袋に絞り出し用の口金の機能を持たせ、包装袋より直接飾り付けができ、使い回しすることがなく衛生的で安価な包装袋を提供することを課題としている。
【図面の簡単な説明】
【００１７】
【図１】本発明の包装袋の一例を模式的に平面で示した説明図である。
【図２】本発明の包装袋の一例の口栓の取り付け方を説明する部分拡大断面図である。
【発明を実施するための形態】
【００１８】
以下、本発明を実施するための形態につき説明する。
図１は、本発明の包装袋の一例を模式的に平面で示した説明図、図２は、本発明の包装袋の一例の口栓の取り付け方を説明する部分拡大断面図である。
【実施例】
【００１９】
本例の包装袋１００は、図１の平面図に示すように、図の下方の両隅に、絞り出し口用切取線１と絞り出し口用切取線２が設けられている。また、包装袋１００の上部の左右中央には、口栓３が設けられている。本例の包装袋１００は４方シール袋形状で、周縁シール部４が設けられている。尚、本発明の包装袋はこれに限ることなく、３方シール袋や、スタンディングパウチの形状であってもよい。
【００２０】
絞り出し口用切取線１は、ギザギザ形状に設けられている。また、絞り出し口用切取線２は、緩やかに湾曲する波形状になっている。このようになっているので、使用する場合、いずれかの形状を選んで、押し出すことができる。そして、星口金などの様に加飾することができる。
【００２１】
また、形状についてはこれに限ることなく、直線や湾曲線にして、断面が円形になるように内容物を押し出してもよい。さらに内側にポイントシールを設けて絞り出し口を広がらないようにして、薄い花びらなどを飾り付けるようにしてもよい。
【００２２】
口栓３は、図２のように、スパウト３１とキャップ３２とからなっていて、本例では螺合して嵌合している。単純に嵌め込んであるより、螺合していた方が、使用するときに絞り出すので、それによる変形やねじれによって、外れることがなく安心できる。
【００２３】
口栓３を包装袋１００に取り付けるには、包装袋１００の表フィルム５に貫通孔を設け、表フィルム５の裏側より差し込み、スパウト３１の台座部３１ａを表フィルム５の裏側に熱シールして取り付ける。
【００２４】
絞り出し口用切取線１、２は、包装袋１００の表裏にレーザー加工を行い、表裏の包装材料にハーフカット線を設けて形成する。レーザー加工は、炭酸ガスレーザー、ＹＡＧレーザー、エキシマレーザーなどを用いることができる。これらの連続またはパルス発振形式の装置を用いて行う。
【００２５】
使用するレーザーの中では、特に包装材料の外層の基材フィルムの透明なプラスチックフィルムが吸収しやすい波長１０．６３μｍの炭酸ガスレーザーが好適に使用できる。すなわち炭酸ガスレーザーの光を集光レンズで集光し、包装袋１００を形成する表裏のフィルムの外層面に照射することにより、そのフィルムの被照射部分を発熱、溶融、あるいは分解、灰化などによってフィルム表面が除去され、ハーフカット線を形成することができる。
【００２６】
包装袋１００を形成する表裏のフィルムには、外層の透明な基材フィルムとシーラント層からなる積層フィルムが用いられる。外層の基材フィルムとして、機械的強度および各種耐性を付与するとともに、レーザーでハーフカット線を刻設し易ければよく、特に限定するものではないが、例えば炭酸ガスレーザーに好適な材料として、透明な厚さ７〜２５μｍ程度のポリエチレンテレフタレートフィルム、延伸ナイロンフィルム、ポリカーボネートフィルムなどが挙げられる。
【００２７】
さらに、内容物によってその長期保存等保護性（例えばガスバリア性、遮光性等）を目的とし、基材フィルムとシーラント層の間に中間層を設けることもできる。中間層としては、エチレン−ビニルアルコール共重合体フィルム、ポリビニルアルコールフィルム、アクリロニトリル共重合体フィルムなど、あるいは透明でかつガスバリア性を有するものとして、厚さ１２μｍ程度のポリエチレンテレフタレートフィルムにシリカ、アルミナ等無機酸化物を蒸着した無機酸化物蒸着フィルムが挙げられ、また不透明でバリア性と遮光性を有するものとして、例えば厚さ１２μｍ程度のポリエチレンテレフタレートフィルムにアルミニウムを蒸着したフィルムなどが用いられ、中間層は基材フィルムに例えばドライラミネーション用接着剤等を介してラミネートされる。
【００２８】
内層のシーラント層は、厚さ４０〜１００μｍ程度のポリエチレン系、例えば直鎖状低密度ポリエチレンフィルム、低密度ポリエチレンフィルム、あるいは中密度ポリエチレンフィルムなどの他、無延伸ポリプロピレンフィルムなどが使用され、中間層や基材フィルムにドライラミネーション接着剤等を介してラミネートされ表裏のフィルムの積層フィルムが得られる。
【００２９】
このようにして、得られた表フィルム５に口栓３を取り付け、裏フィルムを重ね合わせ、周縁シール部４をシールして密封し、レーザー加工により、ハーフカット線を設け絞り出し口用切取線１、２を形成する。そして、口栓３のキャップ３２を外して、スパウト３１を通して内容物を充填し、キャップ３２を嵌合して、内容物の充填された包装袋１００が完成する。
【００３０】
レーザー加工により、絞り出し口用切取線１、２のハーフカット線を設けると、被照射部分が発熱、溶融、あるいは分解、灰化などによって、基材フィルムが除去され、ハーフカットされた近傍は、厚さが他の部分より厚くなり硬くなる。このため、使用するときに絞り出し口用切取線１、２を切り取った絞り出し口の端部は硬く、絞り出し口の形状を維持することができる。
【００３１】
尚、包装袋１００に絞り出し口用切取線１、２を形成した後に、放射線滅菌を行い、キ
ャップ３２の取り外し、殺菌済み内容物の充填、再度のキャップ３２の嵌合をアセプティックで行うこともできる。これにより、無菌的な充填された包装袋１００とすることができる。
【００３２】
以上のように、本発明の包装袋は、レーザー加工によって形成されたハーフカット線で絞り出し口用切取線を設けたので、ハーフカット線の両側近傍が硬くなり、絞り出し口用切取線を引き裂いた破断部端部が硬く、形状が維持されやすく、口金を別途設けなくても、口金の機能を果たす。そのため、包装袋の絞り出し口用切取線を切断するだけで、包装袋より絞り出して直接飾り付けができ、絞り袋や口金を使い回しすることがないので、衛生的で安価である。
【００３３】
また、複数の隅部に絞り出し口用切取線が設けられているので、各種の形状・大きさの絞り出し口用切取線を設けて、用途に合わせて使い分けすることができる。さらに、絞り出し口用切取線をギザギザ形状あるいは波形状にすることによって、断面が丸い形状だけでなく、星型などに加飾することができる。
【００３４】
そして、スパウトとキャップからなる口栓を取り付けることによって、スパウトから内容物を充填することができるので、充填後、熱シールすることがなく、内容物を挟み込んで熱シールすることがなく、密封不良を起こすことがない。
【符号の説明】
【００３５】
１００・・・包装袋
１、２・・・絞り出し口用切取線
３・・・口栓
３１・・・スパウト
３１ａ・・・台座部
３２・・・キャップ
４・・・周縁シール部
５・・・表フィルム
【図１】
2016047724.tif 000003
【図２】
2016047724.tif 000004